(57)【特許請求の範囲】
【請求項１】
接続された機器に対する指示の伝達方式が異なる第１のリモートコントローラ及び第２のリモートコントローラを選択的に接続可能な電子機器であって、
接続された前記第１のリモートコントローラまたは前記第２のリモートコントローラからの電圧に基づいて、前記第１のリモートコントローラ及び前記第２のリモートコントローラのいずれが接続されているかを判定する判定手段と、
前記判定手段の判定結果に応じて所定の処理を実行する実行手段と
を備えることを特徴とする電子機器。
【請求項２】
前記判定手段は、前記電圧の値によって判別することを特徴とする請求項１に記載の電子機器。
【請求項３】
前記第１のリモートコントローラまたは前記第２のリモートコントローラが接続されたことを検出する接続検出手段を備え、
前記判定手段は、前記前記第１のリモートコントローラまたは前記第２のリモートコントローラが接続された際に、前記判定を実行する
ことを特徴とする請求項１又は２に記載の電子機器。
【請求項４】
入力される電圧の値に基づいて前記所定の処理を実行する第１実行手段と、
入力される電圧の波形に基づいて前記所定の処理を実行する第２実行手段と
を備え、
前記実行手段は、前記第１実行手段及び前記第２実行手段のいずれかを選択的に用いることを特徴とする請求項１から３のいずれか一項に記載の電子機器。
【発明の詳細な説明】
【技術分野】
【０００１】
本発明は、例えば接続されたリモコンを操作することによって動作を制御することが可能な電子機器の技術分野に関する。
【背景技術】
【０００２】
この種の電子機器として、例えば携帯電話が挙げられ、通話や電子メールの機能に加え、音楽の再生や画像の閲覧等を行えるものが知られている。このような電子機器では、端末本体を直接操作せずとも、例えば接続されたヘッドホンに付属しているリモートコントローラ（以下、「リモコン」）によって、音楽の再生や停止といった操作が可能とされる。
【０００３】
電子機器を操作するリモコンは、全ての製品で同じ方式が採用されている訳ではなく、方式の異なる複数のタイプが存在する。具体的には、例えば「再生」や「停止」といった各種操作に対して個別のキーが割り当てられるタイプや、上述した各種操作を１つのキーによる複数の操作（例えば、シングルクリックやダブルクリック等）で行うタイプが知られている。
【先行技術文献】
【特許文献】
【０００４】
【特許文献１】特開２００９−２１８８４３号公報
【特許文献２】特開２００５−７８２９５号公報
【特許文献３】特開２００１−２８３５７７号公報
【発明の概要】
【発明が解決しようとする課題】
【０００５】
電子機器で使用できるリモコンは、端末自体がリモコンのタイプに対応しているか否かによって決定される。このため、一のタイプにしか対応していない電子機器においては、他のタイプのリモコンを使用することができない。このため、ユーザが既に所有している電子機器に対して、別のリモコンを使用したいと考えている場合であっても、対応しているタイプのリモコンでなければ使用できないという技術的問題点が生ずる。
【０００６】
特に携帯電話等のリモコンを別途購入する場合が多い電子機器では、ユーザには複数のリモコンの中から使用したいものを選択する機会が与えられる。しかしながら、結局のところは所有している電子機器に対応したリモコンしか使用できないため、ユーザの選択の幅は狭められてしまうことになる。このように、複数のタイプのリモコンが存在しているにもかかわらず、電子機器に対応しているリモコンしか使用できないという状況は、ユーザにしてみれば非常に不便である。
【０００７】
本発明が解決しようとする課題には上記のようなものが一例として挙げられる。本発明は、例えば互いにタイプの異なるリモコンを選択的に使用することが可能な電子機器を提供することを目的とする。
【課題を解決するための手段】
【０００８】
上記課題は、接続された機器に対する指示の伝達方式が異なる第１のリモートコントローラ及び第２のリモートコントローラを選択的に接続可能であり、判定手段と実行手段とを備える電子機器によって解決され得る。判定手段では、接続された第１のリモートコントローラまたは第２のリモートコントローラからの電圧に基づいて、第１のリモートコントローラ及び第２のリモートコントローラのいずれが接続されているかが判定される。実行手段では、判定手段の判定結果に応じて所定の処理が実行される。
【発明の効果】
【０００９】
以上説明した電子機器では、第１のリモコン及び第２のリモコンのいずれが接続されているのかが判定され、判定結果に応じた所定の処理が実現される。このため、ユーザは伝達方式の違いを意識することなくリモコンを選択することができる。
【図面の簡単な説明】
【００１０】
【図１】本実施形態の電子機器の全体構成の一例を示すブロック図である。
【図２】本実施形態の電子機器におけるヘッドホン接続部周辺の構成の一例を部分的に拡大して示すブロック図である。
【図３】本実施形態の電子機器のリモコンタイプ判別時における動作の一例を示すフローチャートである。
【図４】本実施形態の電子機器にタイプ１のリモコンを接続した場合の構成の一例を示すブロック図である。
【図５】本実施形態の電子機器にタイプ２のリモコンを接続した場合の構成の一例を示すブロック図である。
【発明を実施するための形態】
【００１１】
以下、本発明を実施するための形態を、図面に基づいて説明する。
【００１２】
（１）電子機器の全体構成
図１を参照して本実施形態の電子機器の全体構成の一例について説明する。図１は、本実施形態の電子機器の全体構成の一例を示すブロック図である。尚、以下では本実施形態の電子機器として携帯電話を例に挙げて説明するものとする。
【００１３】
図１において、本実施形態の電子機器１００は、ＣＰＵ（Central Processing Unit）１１０と、ヘッドホン接続部１２１と、Ａ／Ｄ（Analog to Digital）コンバータ１２２と、カウンタ回路１２３と、データ変換部１２４と、音声データ制御部１３１と、スピーカ１３２と、マイク１３３と、電源部１４０と、ＲＦ（Radio Frequency）処理部１５１と、アンテナ１５２と、ＭＣＰ（Multi Chip Package）１６０と、ディスプレイ１７１と、カメラ１７２と、キー１７３と、ＬＥＤ（Light Emitting Diode）ドライバ１７４と、ＬＥＤ１７５とを備えて構成されている。
【００１４】
ＣＰＵ１１０は、本実施形態の電子機器１００全体の動作を制御する演算回路であり、後述する各部位に対して制御信号を送信可能に構成されている。
【００１５】
ヘッドホン接続部１２１は、ヘッドホンのプラグを挿入可能な端子であり、ヘッドホン及び該ヘッドホンに付属するリモコンとの電気的接続を実現する。ヘッドホン接続部１２１は、接続されたヘッドホンに付属するリモコンによる操作信号を入力可能であると共に、ヘッドホンで出力させる音声データを出力可能とされている。
【００１６】
ＡＤコンバータ１２２は、入力されるアナログデータをデジタルデータへと変換して出力する。本実施形態に係るＡ／Ｄコンバータ１２２は特に、ヘッドホン接続部１２１から入力されるリモコンの操作信号をデジタル信号へと変換し、ＣＰＵ１１０に出力可能とされている。
【００１７】
カウンタ回路１２３は、入力される信号のパルスをカウントする回路である。またカウンタ回路１２３は、入力される信号の電圧値を検出することが可能とされている。
【００１８】
データ変換部１２４は、カウント回路から出力される信号をデジタル信号へと変換して、ＣＰＵ１１０へと出力する。
【００１９】
音声データ制御部１３１は、例えば通話音声や着信音等の音声データをスピーカ１３２に対して出力する。また音声データ制御部１３１は、マイク１３３から入力される音声データを適切な状態へと変換しＣＰＵ１１０へと出力する。
【００２０】
電源部１４０は、例えばリチウムイオン電池等の電池として構成されており、電子機器１００が動作するための電源を各部位へと供給する。
【００２１】
ＲＦ処理部１５１は、アンテナ１５２を介してデータを送受信する。ＲＦ処理部１５１は、データを受信する場合、例えばアンテナ１５２から受信したアナログ信号である受信データ信号を、図示しないＡ／Ｄコンバータでデジタル信号に変換すると共に復調処理を行い、ＣＰＵ１１０へと出力する。またＲＦ処理部１５１は、データを送信する場合、例えばＣＰＵ１１０から出力される送信データ信号に変調処理を行うと共に、デジタル信号である送信データ信号をＤ／Ａコンバータによってアナログ信号に変換し、アンテナ１５２へと出力する。
【００２２】
ＭＣＰ１６０は、多層型のチップからなるメモリであり、ＣＰＵ１１０における主記憶装置として機能する。ＭＣＰ１６０は、複数のチップが積層されているため、平面的に占有するスペースが小さく、電子機器１００における省スペースを実現することが可能である。
【００２３】
ディスプレイ１７１は、例えばＬＣＤ（Liquid Crystal Display：液晶ディスプレイ）として構成されており、電子機器１００における各種情報を、ユーザに対して視覚的に表示する。
【００２４】
カメラ１７２は、例えばＣＣＤ（Charge Coupled Device）カメラやＣＭＯＳ（Complementary Metal Oxide Semiconductor）カメラ等として構成された比較的小型のカメラであり、写真や動画を撮影可能である。
【００２５】
キー１７３は、電子機器１００の操作を行うための操作キー（例えば、テンキーや十字キー等）であり、電子機器１００に複数設けられている。キー１７３を押下すると、押下されたキーに対応する信号がＣＰＵ１１０へと出力される。
【００２６】
ＬＥＤドライバ１７４は、ＬＥＤ１７５の発光を制御する。これにより、電子機器１００におけるイルミネーション等が実現される。
【００２７】
（２）ヘッドホン接続部周辺の具体的な構成
図２を参照して、本実施形態の電子機器１００における）ヘッドホン接続部１２１周辺の具体的な構成の一例について説明する。図２は、本実施形態の電子機器におけるヘッドホン接続部周辺の構成の一例を部分的に拡大して示すブロック図である。
【００２８】
図２に示すように、ヘッドホン接続部１２１は、第１のヘッドホン接続部１２１ａ、第２のヘッドホン接続部１２１ｂ及び第３のヘッドホン接続部１２１ｃを含んで構成されている。
【００２９】
第１のヘッドホン接続部１２１ａは、抵抗Ｒ０を介して電源１４０ａと電気的に接続されている。尚、ここでの電源１４０ａは、図１に示す電源部１４０そのものであってもよいし、電源部１４０から間接的に電源を供給するために別途設けられた部位であってもよい。電源１４０ａからの電源電位の供給は、ＣＰＵ１１０によって制御されている。
【００３０】
また第１のヘッドホン接続部１２１ａは、Ａ／Ｄコンバータ１２２、カウンタ回路１２３及びデータ変換部１２４を介してＣＰＵ１１０と電気的に接続されている。より具体的には、第１のヘッドホン接続部１２１ａから入力される信号は、Ａ／Ｄコンバータ１２２を介してＣＰＵ１１０に入力可能とされていると共に、カウンタ回路１２３及びデータ変換部１２４を介してＣＰＵ１１０に入力可能とされている。
【００３１】
第２のヘッドホン接続部１２１ｂは接地されている。また、第３のヘッドホン接続部１２１ｃは、電源１４０ａ及びＣＰＵ１１０と電気的に接続されている。
【００３２】
尚、ヘッドホン接続部１２１は、上述した第１のヘッドホン接続部１２１ａ、第２のヘッドホン接続部１２１ｂ及び第３のヘッドホン接続部１２１ｃに加えて、他のヘッドホン接続部を含んで構成されていてもよい。
【００３３】
（３）処理説明
図３から図５を参照して、本実施形態の電子機器１００の動作の一例について説明する。図３は、本実施形態の電子機器のリモコンタイプ判別時における動作の一例を示すフローチャートである。図４は、本実施形態の電子機器にタイプ１のリモコンを接続した場合の構成の一例を示すブロック図である。図５は、本実施形態の電子機器にタイプ２のリモコンを接続した場合の構成の一例を示すブロック図である。尚、以下では、本実施形態の電子機器１００特有のリモコンが付属したヘッドホンの接続時の動作について詳細に説明し、その他の一般的な動作については適宜説明を省略するものとする。
【００３４】
図３において、本実施形態の電子機器１００は、リモコンが付属されたヘッドホンの接続を監視している（ステップＳ１０１）。本実施形態の電子機器１００は、例えば図２で示した第３のヘッドホン接続端子１２１ｃとＣＰＵ１１０との間に流れる信号に基づいて、ヘッドホンの接続を検出する。具体的には、ヘッドホンがヘッドホン接続部１２１に接続されていない場合、ヘッドホン接続端子１２１ｃとＣＰＵ１１０との間には電源１４０ａから供給される所定の電位に対応する電圧が印加される。一方で、例えば図４や図５に示すように、ヘッドホン２００又は３００がヘッドホン接続部１２１に接続されると、ヘッドホン接続端子１２１ｃとＣＰＵ１１０との間に印加される電圧は接地電位に対応するものとなる。ＣＰＵ１１０は、このような電圧値の変化によってヘッドホンの接続を検出する。
【００３５】
ヘッドホンの接続が検出されると（ステップＳ１０１：ＹＥＳ）、カウンタ回路１２３の電源がＯＮとされ（ステップＳ１０２）、接続されたヘッドホンに付属しているリモコンのタイプ判定が開始される。尚、ここでのリモコンは、例えば電子機器１００に記憶されている音声データに対して、「再生」、「停止」、「一時停止」、「曲送り」、「曲戻し」等の各種操作を行えるようなリモコンである。また、本実施形態では、リモコンがヘッドホンに付属されていることを前提として説明しているが、ヘッドホンに付属されないリモコン（例えば、リモコン単体として構成されるもの）であっても、後述する本実施形態に係る効果は得られる。
【００３６】
本実施形態の電子機器１００には、上述した各種操作がリモコンにおける複数のキーの各々に１つずつ割り当てられることで実現される方式（以下、適宜「タイプ１」と称する）の第１のリモコン２００（図４参照）、及び上述した各種操作がリモコンにおける１つのキーに対する相異なる操作（例えば、シングルクリック、ダブルクリック、トリプルクリック等）によって実現される方式（以下、適宜「タイプ２」と称する）の第２リモコン（図５参照）が接続可能であり、電子機器１００は、接続されたリモコンがタイプ１及びタイプ２のいずれのリモコンであるかを判定する。
【００３７】
電源がＯＮとされたカウンタ回路１２３は、リモコンのキーが押下された場合に（ステップＳ１０３）、リモコンから出力される操作信号（即ち、キーが押下されることによって出力される信号）を検出する（ステップＳ１０４）。カウンタ回路１２３は、検出した信号をＣＰＵ１１０に伝達し、ＣＰＵ１１０は、カウンタ回路１２３から伝達された操作信号の電圧値に基づいてリモコンのタイプを判定する。具体的には、ＣＰＵ１１０は、検出した操作信号の電圧値が所定の閾値を超えているか否かでリモコンのタイプを判定する（ステップＳ１０５）。
【００３８】
図４において、タイプ１である第１のリモコン２００が接続された場合について考える。第１のリモコン２００は、複数のキーの各々に対応するスイッチ２０１、２０２及び２０３を備えている。スイッチ２０１には、抵抗Ｒ１が電気的に接続されている。スイッチ２０２には、抵抗Ｒ２が電気的に接続されている。スイッチ２０３には、抵抗Ｒ３が電気的に接続されている。ここで特に、抵抗Ｒ１、Ｒ２及びＲ３の抵抗値は互いに異なるものとされている。
【００３９】
第１のリモコン２００において、例えばスイッチ２０１に対応するキーが押下されたとすると、スイッチ２０１が一時的にＯＮとされる。これにより、カウンタ回路１２３では、抵抗Ｒ０及び抵抗Ｒ１によって分圧されることで電圧降下した電圧値が検出される。また、スイッチ２０２に対応するキーが押下されたとすると、スイッチ２０２が一時的にＯＮとされる。これにより、カウンタ回路１２３では、抵抗Ｒ０及び抵抗Ｒ２によって分圧されることで電圧降下した電圧値が検出される。同様に、スイッチ２０３に対応するキーが押下されたとすると、スイッチ２０３が一時的にＯＮとされる。これにより、カウンタ回路１２３では、抵抗Ｒ０及び抵抗Ｒ３によって分圧されることで電圧降下した電圧値が検出される。
【００４０】
他方、図５において、タイプ２である第２のリモコン３００が接続された場合について考える。第２のリモコン３００は、上述したように１つのキーによって複数の操作を実現可能なタイプ２のリモコンである。よって、第２のリモコン３００は、第１のリモコン２００のように複数のスイッチを備えておらず、１つのキーに対応するスイッチ３０１のみを備えている。
【００４１】
第２のリモコン３００において、例えばスイッチ３０１に対応するキーがシングルクリックされたとすると、スイッチ３０１が１回だけＯＮとされる。これにより、カウンタ回路１２３では、接地電位に対応する電圧が１つのパルスとして検出される。また、スイッチ３０１に対応するキーがダブルクリックされたとすると、スイッチ３０１が２回連続してＯＮとされる。これにより、カウンタ回路１２３では、接地電位に対応する電圧が２つのパルスとして検出される。このように第２のリモコン３００では、キーの操作によって異なるパルスがカウンタ回路１２３で検出される。
【００４２】
ここで、上述した第２のリモコン３００を操作した際にカウンタ回路１２３で検出される信号の電圧値は、スイッチ３０１によって信号を伝達している配線が接地されるため、第１のリモコン２００を操作した際にカウンタ回路１２３で検出される信号の電圧値より低くなる。よって、ＣＰＵ１１０は、検出した信号の電圧値に基づいて、接続されたリモコンがタイプ１及びタイプ２のいずれであるかを判定することができる。具体的には、所定の閾値を、第１のリモコン２００を操作した際に検出される電圧値と、第２のリモコン３００を操作した際に検出される電圧値との中間の値として設定しておけばよい。
【００４３】
尚、本実施形態では、リモコンを操作した際に検出される信号（即ち、操作信号）に基づいてタイプ判定を行っているが、リモコンが接続された際に自動的に受信されるような信号等、操作信号以外の信号に基づいてタイプを判定するようにしてもよい。
【００４４】
図３に戻り、ＣＰＵ１１０は、検出した信号の電圧値が所定の閾値を超えている場合（ステップＳ１０５：ＹＥＳ）、接続されたリモコンはタイプ１（即ち、第１のリモコン２００）であると判定する（ステップＳ１０６）。
【００４５】
ＣＰＵ１１０は、接続したリモコンが第１のリモコン２００であると判定した場合、Ａ／Ｄコンバータ１２２の電源をＯＮとし（ステップＳ１０７）、カウンタ回路１２３の電源をＯＦＦとする（ステップＳ１０８）。これにより、第１のリモコン２００から出力される操作信号は、Ａ／Ｄコンバータ１２２を介してＣＰＵ１１０に伝達されることになる。
【００４６】
第１のリモコン２００からの操作信号は、上述したように、複数のキーの各々に応じた固有の電圧値を有するものである。よって、Ａ／Ｄコンバータ１２２によって、検出された信号の電圧値をデジタル値に変換してＣＰＵ１１０に伝達すれば、ＣＰＵ１１０は、第１のリモコン２００において押下されているキーを認識できる。よって、押下されたキーに応じた各種動作を実現することが可能となる。
【００４７】
一方、ＣＰＵ１１０は、検出した信号の電圧値が所定の閾値を超えていない場合（ステップＳ１０５：ＮＯ）、接続されたリモコンはタイプ２（即ち、２のリモコン３００）であると判定する（ステップＳ１０９）。
【００４８】
ＣＰＵ１１０は、接続したリモコンが第１のリモコン２００であると判定した場合、データ変換部１２４の電源をＯＮとする（ステップＳ１１０）これにより、第１のリモコン２００から出力される操作信号は、カウンタ回路１２３及びデータ変換部１２４を介してＣＰＵ１１０に伝達されることになる。
【００４９】
第２のリモコン３００からの操作信号は、上述したように、１つのキーの操作方法に応じたパルスを有するものである。よって、カウンタ回路１２３によってパルス数をカウントすると共に、データ変換部１２４においてパルス数をデジタル値に変換してＣＰＵ１１０に伝達すれば、ＣＰＵ１１０は、第２のリモコン３００においてキーが押下された回数を認識できる。よって、キーが押下された回数に応じた各種動作を実現することが可能となる。
【００５０】
尚、接続したリモコンのタイプを判定した後の処理は、上述した接続されているリモコンによる操作を実現する処理に限られない。即ち、リモコンのタイプ判定後には、判定されたリモコンのタイプに応じて、電子機器１００における各種処理が実行されればよい。具体的には、いずれのタイプのリモコンが接続されたかを示す情報を、ディスプレイ１７１に表示させるようにしてもよい。
【００５１】
以上説明したように、本実施形態の電子機器１００によれば、接続されたリモコンのタイプを自動的に判定すると共に、判定されたタイプに応じた操作を実現することができる。即ち、本実施形態の電子機器１００には、互いにタイプの異なるリモコンを選択的に使用することが可能である。
【００５２】
ここで仮に、電子機器１００がタイプ２のリモコン（即ち、第２のリモコン３００）しか利用できないものであったとする。タイプ２のリモコンは、タイプ１のリモコンと比べて操作するキーが少なくなるため、小型化が容易であるというメリットを有しているものの、操作が煩雑となってしまうというデメリットも有している。このため、例えば年配者等の煩雑な操作に不慣れなユーザは、タイプ２のリモコンの操作に負担を感じてしまうおそれがある。
【００５３】
しかしながら、上述したような煩雑な操作を好まないユーザが、比較的操作の簡単なタイプ１のリモコンを使用したいと考えたとしても、既に所有している電子機器がタイプ２のリモコンしか対応できないものであれば、タイプ１のリモコンを利用することができない。
【００５４】
また、異なるタイプのリモコンが存在することを知らずに利用するユーザも少なからず存在すると考えられる。このようなユーザは、例えば対応していないタイプのリモコンを接続した場合に、なぜリモコンが使用できないのかを理解できないといった状況に陥ってしまうおそれがある。
【００５５】
これに対し、本実施形態の電子機器１００によれば、互いにタイプの異なるリモコンを選択的に使用することが可能であるため、上述したような様々な不都合が生じてしまうことを回避することができる。即ち、本実施形態の電子機器１００は、実践上非常に有益な効果を有していると言える。
【００５６】
尚、上述した実施形態では、電子機器の一例として携帯電話を挙げて説明したが、例えば携帯型の音楽プレーヤやタブレット端末等のように、異なるタイプのリモコンを接続して利用する可能性の電子機器であれば、本発明を適用することができる。
【００５７】
また、リモコンによって実現される操作についても、音声データの操作に限られず、画像データやテキストデータ閲覧時の操作等、電子機器において実行され得る様々な操作として置き換えることができる。
【００５８】
本発明は、上述した実施形態に限られるものではなく、特許請求の範囲及び明細書全体から読み取れる発明の要旨或いは思想に反しない範囲で適宜変更可能であり、そのような変更を伴う電子機器もまた本発明の技術的範囲に含まれるものである。
【符号の説明】
【００５９】
１００  電子機器
１１０  ＣＰＵ
１２１  ヘッドホン接続部
１２２  Ａ／Ｄコンバータ
１２３  カウンタ回路
１２４  データ変換部
１３１  音声データ制御部
１３２  スピーカ
１３３  マイク
１４０  電源部
１５１  ＲＦ処理部
１５２  アンテナ
１６０  ＭＣＰ
１７１  ディスプレイ
１７２  カメラ
１７３  キー
１７４  ＬＥＤ制御部
１７５  ＬＥＤ
２００  第１のリモコン
３００  第２のリモコン
【図１】
0005741176.tif 000002
【図２】
0005741176.tif 000003
【図３】
0005741176.tif 000004
【図４】
0005741176.tif 000005
【図５】
0005741176.tif 000006